(57)【要約】【課題】  住宅等で使用される掃除具において、掃除具の柄に粘着ロールを収納する手段と、粘着ロールと掃除具の柄を着脱する手段とを設けた掃除具である。【解決手段】  軸（Ｓ）の中央に支持部（２）を設け、軸（Ｓ）の両端より粘着ロール受け（Ｒ）とロール止め（３）を挿設し、器（４）の側面に開口部（５）を設け、開口部（５）に開閉する蓋（６）を設けた器（４）に、該器（４）の端面（７）に柄（１）を設け、該柄（１）の端側に二股（８）を設け、二股（８）の内側に支持部（２）と嵌合する接片（９）を設け、かつ、前記二股（８）と柄（１）に切れ目（１０）を入れ柄（１）に円環（１１）を緩挿したことを特徴とする掃除具。【選択図】図１
2007152069.tif 000002
【特許請求の範囲】
【請求項１】
軸（Ｓ）の中央に支持部（２）を設け、軸（Ｓ）の両端より粘着ロール受け（Ｒ）とロール止め（３）を挿設し、器（４）の側面に開口部（５）を設け、開口部（５）に開閉する蓋（６）を設けた器（４）に、該器（４）の端面（７）に柄（１）を設け、該柄（１）の端側に二股（８）を設け、二股（８）の内側に支持部（２）と嵌合する接片（９）を設け、かつ、前記二股（８）と柄（１）に切れ目（１０）を入れ柄（１）に円環（１１）を緩挿した掃除具。
【請求項２】
器（４ａ）に開口部（５ａ）を設け、該開口部（５ａ）に開閉する蓋（６ａ）を設けた器（４ａ）に、該器（４ａ）の側面に設けた取付け部（１２）に柄（１ａ）を取り付けたことを特徴とする、請求項１記載の掃除具。
【請求項３】
粘着ロール受け（Ｒ）の端面（１３）を挟む挟着部（１４）と軸（Ｓ）を挟む挟着部（１５）を設けた粘着ロール挟み（１６）に取付け部（１２ｂ）を設け、該取付け部（１２ｂ）に柄（１ｂ）を取り付けたことを特徴とする、請求項１記載の掃除具。
【請求項４】
柄（１ｃ）の端側に枢支部（１７）を設け、互いをねじ込み合わせることのできる雄ネジ（１８）及び雌ネジ（１９）を、軸（Ｓ）に設けた支持部（２ｃ）と柄に設けた枢支部（１７）とにそれぞれ設けたものであることを特徴とする、請求項１〜請求項３のいずれかの項記載の掃除具。
【請求項５】
柄（１ｄ）の端側に枢支部（１７ｄ）を設け、互いを嵌め合わせることのできる突起（２０）及び凹窩（２１）に溝（２２）と引掛り部（２３）をそれぞれ設け、かつ、前記突起（２０）及び凹窩（２１）を軸（Ｓ）に設けた支持部（２ｄ）と柄（１ｄ）に設けた枢支部（１７ｄ）とにそれぞれ設けたものであることを特徴とする、請求項１〜請求項３のいずれかの項記載の掃除具。
【発明の詳細な説明】
【技術分野】
【０００１】  この発明は、住宅等で使用される掃除具において、掃除具の柄に粘着ロールを収納する手段と、粘着ロールと掃除具の柄を着脱する手段とを設けた掃除具である。
【背景技術】
【０００２】  従来の掃除具を使用して、フローリングの床と絨毯の掃除をする場合は、フローリング専用と絨毯専用の掃除具を使用しなければならない。その結果、つねに二種類の掃除具を持ち歩いて掃除をしなければならない。
【発明の開示】
【発明が解決しようとする課題】
【０００３】  本発明が解決しょうとする課題は、従来の掃除具を使用してフローリングと絨毯の掃除する場合に、フローリング用掃除具と絨毯用掃除具の柄及び掃除具の取付け部に互換性が無い為に二種類の掃除具を使用しなければならない。したがって、掃除中に二種類の掃除具を持ち歩く必要があり、これはきわめて煩わしいことである。
掃除具の収納場所も二種類分必要となる。
本発明は、以上のような欠点を無くするためになされたものである。
【課題を解決するための手段】
【０００４】  この発明は、軸（Ｓ）の中央に支持部（２）を設け、軸（Ｓ）の両端より粘着ロール受け（Ｒ）とロール止め（３）を挿設したり、器（４）（４ａ）に開口部（５）（５ａ）を設け、開口部（５）（５ａ）に開閉する蓋（６）（６ａ）を設けた器（４）（４ａ）に、器（４）の端面（７）及び器（４ａ）の側面に設けた取付け部（１２）に棒状の柄（１）（１ａ）を設けたり、粘着ロール受け（Ｒ）の端面（１３）を挟む挟着部（１４）と軸（Ｓ）を挟む挟着部（１５）を設けた粘着ロール挟み（１６）に取付け部（１２ｂ）を設け、取付け部（１２ｂ）に棒状の柄（１ｂ）を設け、かつ、前記棒状の柄（１）（１ａ）（１ｂ）の端側に二股（８）を設け、二股（８）の内側に支持部（２）と嵌合する接片（９）を設け、かつ、前記二股（８）と柄（１）に切れ目（１０）を入れ柄（１）（１ａ）（１ｂ）に円環（１１）を緩挿し、棒状の柄（１ｃ）（１ｄ）の端側に枢支部（１７）（１７ｄ）を設け、雄ネジ（１８）及び雌ネジ（１９）と、突起（２０）及び凹窩（２１）を支持部（２ｃ）（２ｄ）と枢支部（１７）（１７ｄ）とにそれぞれ設けたものである。
本発明は、以上の構成よりなる掃除具である。
【発明の効果】
【０００５】  この発明によると、粘着ロール受けに粘着ロールを挿着することにより絨毯用掃除具として使用出来る。さらに、粘着ロールと柄を着脱したり、柄に設けた器等により粘着ロールを収納できるようになっている。
他のフローリング用掃除具の支持部と粘着ロールの支持部を同じ形状にすることにより、粘着ロールと他のフローリング用掃除具が一本の柄で使用出来る。したがって、器に粘着ロールを収納しながら他のフローリング用掃除具を使用することが可能となる。
掃除状態に応じて掃除具を交換しながら使用することが可能となり、フローリング専用と絨毯専用の掃除具をそれぞれ持ち歩く必要は無くなる。
粘着ロールの中央に支持部を設けており、動きが自由で曲面等の掃除が楽にできる。
粘着ロールの軸に設けた球形の支持部と柄に設けた接片を接合する場合は、接片を球形の支持部に押し込むだけで容易に接合が完了する。
柄に設けた器と粘着ロールの重みにより他の掃除具と床面との接触が良くなりゴミが取り易くなる。
粘着ロールは器に収納されており見栄えもよく、他の掃除具を使用中に粘着ロールに着いたゴミが落ちることも無い。
掃除具の収納場所も１本分の場所があれば良い。
【発明を実施するための最良の形態】
【０００６】  以下、この発明の実施をするための最良の形態について図１に基づいて説明すると、金属製の棒状の軸（Ｓ）の中央に球形の支持部（２）を設け、軸（Ｓ）の両端より粘着ロール受け（Ｒ）とロール止め（３）を挿設し、両端が閉じた筒状の器（４）の側面に開口部（５）を設け、開口部（５）に開閉する蓋（６）を設けた器（４）に、該器（４）の両方の端面（７）に棒状の柄（１）を設け、該棒状の柄（１）の端側に二股（８）を設け、二股（８）の内側に球形の支持部（２）と嵌合する接片（９）を設け、かつ、前記二股（８）と柄（１）に切れ目（１０）を入れ柄（１）に円環（１１）を緩挿する。
本発明は、以上のような構造でこれを使用するにあたっては、粘着ロール受け（Ｒ）に粘着ロールを挿着し、軸（Ｓ）に設けた球形の支持部（２）を柄（１）の端側に設けた二股（８）の接片（９）により挟着し、柄（１）に設けた円環（１１）を二股（８）の近くに移動することにより二股（８）が閉じて接合が完了する。
さらに、粘着ロールを器（４）に収納することにより、柄（１）と共に粘着ロールの移動が可能となり、必要に応じて粘着ロールを器（４）より取出して使用することができる。【０００７】  そして、この発明の実施をするための最良の形態について図２に基づいて説明すると、両端が閉じた筒状の器（４ａ）に開口部（５ａ）を設け、開口部（５ａ）に開閉する蓋（６ａ）を設けた器（４ａ）に、該器（４ａ）の側面に設けた取付け部（１２）に棒状の柄（１ａ）を取り付ける。
本発明は、以上のような構造でこれを使用するにあたっては、器（４ａ）の側面に設けた取付け部（１２）に柄（１ａ）を設けてあり、掃除作業において柄（１ａ）の力が器（４ａ）に掛からない構造となっており耐久性に富む。さらに、器（４ａ）に粘着ロールを収納することにより柄（１ａ）と共に粘着ロールの移動が可能となり、必要に応じて粘着ロールを器（４ａ）より取出して使用することができる。【０００８】  つぎに、この発明の実施をするための最良の形態について図３に基づいて説明すると、粘着ロール受け（Ｒ）の両方の端面（１３）を挟む挟着部（１４）と金属製の棒状の軸（Ｓ）を挟む挟着部（１５）を設けた粘着ロール挟み（１６）に取付け部（１２ｂ）を設け、該取付け部（１２ｂ）に棒状の柄（１ｂ）を取り付ける。
本発明は、以上のような構造でこれを使用するにあたっては、粘着ロール挟み（１６）により粘着ロール受け（Ｒ）を挟むことができる。したがって、粘着ロールを粘着ロール挟み（１６）に収納することにより柄（１ｂ）と共に粘着ロールの移動が可能となり、必要に応じて粘着ロールを取出して使用することができる。【０００９】  さらに、この発明の実施をするための最良の形態について図４に基づいて説明すると、棒状の柄（１ｃ）の端側に枢支部（１７）を設け、互いをねじ込み合わせることのできる雄ネジ（１８）及び雌ネジ（１９）を、軸（Ｓ）の中央に設けた支持部（２ｃ）と枢支部（１７）とにそれぞれ設ける。
本発明は、以上のような構造でこれを使用するにあたっては、支持部（２ｃ）と枢支部（１７）とにそれぞれ設けた雄ネジ（１８）及び雌ネジ（１９）により、支持部（２ｃ）と枢支部（１７）を螺着したり螺着を解除したりが可能となる。【００１０】  そして、さらに、この発明の実施をするための最良の形態について図５に基づいて説明すると、棒状の柄（１ｄ）の端側に枢支部（１７ｄ）を設け、互いを嵌め合わせることのできる突起（２０）及び凹窩（２１）に溝（２２）と引掛り部（２３）をそれぞれ設け、かつ、前記突起（２０）及び凹窩（２１）を軸（Ｓ）に設けた支持部（２ｄ）と枢支部（１７ｄ）とにそれぞれ設ける。
本発明は、以上のような構造でこれを使用するにあたっては、軸（Ｓ）に設けた支持部（２ｄ）と枢支部（１７ｄ）とにそれぞれ設けた突起（２０）及び凹窩（２１）により、支持部（２ｄ）と枢支部（１７ｄ）を嵌着したり嵌着を解除したりが可能となる。
【産業上の利用可能性】
【００１１】  この発明の掃除具は、製造技術・製造方法及び作業性を確立し、かつ寄与する点で、産業上の利用可能性を有する。
【図面の簡単な説明】
【００１２】
【図１】この発明における請求項１の発明の一実施例を示し、（Ａ）は、分解斜視図であり、（Ｂ）は斜視図である。
【図２】この発明における請求項２の発明の一実施例を示し、（Ａ）は、分解斜視図であり、（Ｂ）は、斜視図である。
【図３】この発明における請求項３の発明の一実施例を示し、（Ａ）は、分解斜視図であり、（Ｂ）は、斜視図である。
【図４】この発明における請求項４の発明の一実施例を示し、（Ａ）は、分解斜視図であり、（Ｂ）は、斜視図である。
【図５】この発明における請求項５の発明の一実施例を示し、（Ａ）は、分解斜視図であり、（Ｂ）は、斜視図である。
【符号の説明】
【００１３】    １，１ａ，１ｂ，１ｃ，１ｄ      柄
２，２ｃ，２ｄ                  支持部
３                  ロール止め
４，４ａ，          器
５，５ａ            開口部
６，６ａ            蓋
７，１３            端面
８，                二股
９，                接片
１０                切れ目
１１                円環
１２，１２ｂ        取付け部
１４，１５          挟着部
１６                粘着ロール挟み
１７，１７ｄ        枢支部
１８                雄ネジ
１９                雌ネジ
２０                突起
２１                凹窩
２２                溝
２３                引掛り部
Ｒ                  粘着ロール受け
Ｓ                  軸
【図１】
2007152069.tif 000003
【図２】
2007152069.tif 000004
【図３】
2007152069.tif 000005
【図４】
2007152069.tif 000006
【図５】
2007152069.tif 000007